(57)【要約】【課題】  安価な構造で取付作業を能率良く行なうこと。【解決手段】  トランス４の裏面に植設した多数のリード端子４ａをプリント配線基板３に開設した多数の端子孔５に挿入し、該各リード端子４ａをプリント配線基板３のランドに半田付けするようにしたトランス取付装置において、多数のリード端子４ａのうちの適当な１つまたは２つ以上のリード端子４ａに補助端子８が付設され、その１つまたは２つ以上の補助端子８に対向してプリント配線基板３に補助孔９が開設されており、各リード端子４ａをプリント配線基板３の端子孔５に挿入すると同時に、１つまたは２つ以上の補助端子８をプリント配線基板３の補助孔９に挿入し、該各リード端子４ａ及び１つまたは２つ以上の補助端子８をプリント配線基板３のランドに半田付けするようにした。【選択図】        図１
2011228558.tif 000002
【特許請求の範囲】
【請求項１】
トランスの裏面に植設した多数のリード端子をプリント配線基板に開設した多数の端子
孔に挿入し、該各リード端子をプリント配線基板のランドに半田付けするようにしたトラ
ンス取付装置において、前記多数のリード端子のうちの適当な１つまたは２つ以上のリー
ド端子に補助端子が付設され、その１つまたは２つ以上の補助端子に対向してプリント配
線基板に補助孔が開設されており、各リード端子をプリント配線基板の端子孔に挿入する
と同時に、１つまたは２つ以上の補助端子をプリント配線基板の補助孔に挿入し、該各リ
ード端子及び１つまたは２つ以上の補助端子をプリント配線基板のランドに半田付けする
ようにしたことを特徴とするトランス取付装置。
【請求項２】
前記補助端子が、補助端子本体と、該補助端子本体の基端部から直角に折れ曲がる補助
腕とを有し、該補助腕の先端にリード端子挿通孔が貫設されており、そのリード端子挿通
孔にリード端子を挿通し、該リード端子に補助腕を半田付けし、リード端子を端子孔に挿
入すると同時に、補助端子本体を補助孔に挿入するようにしたことを特徴と請求項１に記
載のトランス取付装置。
【発明の詳細な説明】
【技術分野】
【０００１】
本発明は、ディスク装置（例えばＢｌｕ−ｒａｙ  Ｄｉｓｃ式のレコーダまたはプレー
ヤ）などの電子機器に用いられるトランスの取付装置に関し、特に、安価な構造で取付作
業を能率良く行なうことができるようにしたものである。
【背景技術】
【０００２】
電子機器の一例として図４の斜視図に示すものがあり、これはディスク装置（例えばス
ロットイン型のＢｌｕ−ｒａｙ  Ｄｉｓｃ式のレコーダまたはプレーヤ）であって、キャ
ビネット１内の上部にディスク装置本体２が配置され、該ディスク装置本体２を制御する
ためのメイン基板やＡＶ基板などの起立状態のプリント配線基板３にトランス４が取り付
けられている。
【０００３】
上記構成において、ディスクＤをディスク装置本体２のディスク挿入口２ａに差し込む
と、それを検知する検知信号に基づいてディスクＤがディスク装置本体２内に引き込まれ
、そのディスクＤに記録されている情報が読み取られて再生されたり、録画される。
【０００４】
従来、図５及び図６に示すように、前記トランス４は、その裏面に植設した多数のリー
ド端子４ａをプリント配線基板３に開設した多数の端子孔５に挿入し、該各リード端子４
ａをプリント配線基板３のランドに半田付け６することにより、そのプリント配線基板３
に取り付けられている。
【０００５】
上記構成では、トランス４の重量を各リード端子４ａで分担して支えているから、その
リード端子４ａの１本あたりにかかる重量が大きいときには、例えば搬送時に落下するな
どの衝撃がかかった場合に、該各リード端子４ａに過大な負荷がかかって、半田付け６が
損傷され、断線するおそれがある。
【０００６】
上記難点を解消する技術として、一般的に、半田付け６の盛りつけを大きくして、各リ
ード端子４ａの取付強度を増大させることが行なわれている。
【０００７】
また、特許文献１に記載しているように、トランス４にダミー端子を追加して、リード
端子４ａの１本あたりにかかる重量を小さくすることも考えられている。
【先行技術文献】
【特許文献】
【０００８】
【特許文献１】特開２００３−１６８６０９号公報
【発明の概要】
【発明が解決しようとする課題】
【０００９】
従来例のように、半田付け６の盛りつけを大きくする場合には，その大きくするのに手
間と時間とがかかり、取付作業の能率が低い。
【００１０】
特許文献１に記載しているように、トランス４にダミー端子を追加する場合には、既存
のトランス４とは別個にダミー端子付きのトランス４を製作する必要があり、コストアッ
プになる。
【００１１】
本発明は、上記従来の欠点に鑑み、安価な構造で取付作業を能率良く行なうことができ
るようにしたトランス取付装置を提供することを目的としている。
【課題を解決するための手段】
【００１２】
上記目的を達成するため、請求項１に記載の発明は、トランスの裏面に植設した多数の
リード端子をプリント配線基板に開設した多数の端子孔に挿入し、該各リード端子をプリ
ント配線基板のランドに半田付けするようにしたトランス取付装置において、前記多数の
リード端子のうちの適当な１つまたは２つ以上のリード端子に補助端子が付設され、その
１つまたは２つ以上の補助端子に対向してプリント配線基板に補助孔が開設されており、
各リード端子をプリント配線基板の端子孔に挿入すると同時に、１つまたは２つ以上の補
助端子をプリント配線基板の補助孔に挿入し、該各リード端子及び１つまたは２つ以上の
補助端子をプリント配線基板のランドに半田付けするようにしたことを特徴とする。
【００１３】
請求項２に記載の発明は、請求項１に記載の発明において、前記補助端子が、補助端子
本体と、該補助端子本体の基端部から直角に折れ曲がる補助腕とを有し、該補助腕の先端
にリード端子挿通孔が貫設されており、そのリード端子挿通孔にリード端子を挿通し、該
リード端子に補助腕を半田付けし、リード端子を端子孔に挿入すると同時に、補助端子本
体を補助孔に挿入するようにしたことを特徴とする。
【発明の効果】
【００１４】
請求項１に記載の発明によれば、補助端子を付設することにより、リード端子の１本あ
たりにかかるトランスの重量を小さくしているので、例えば搬送時に落下するなどの衝撃
がかかった場合でも、各リード端子にかかる負荷が軽減されて、半田付けが損傷されるこ
とによる断線事故の発生が解消され、信頼性を高く維持することができる。
【００１５】
また、従来のように半田付けの盛りつけを大きくする必要がないので、トランスの取付
作業を能率的に行なうことができる。
【００１６】
更に、既存のトランスのリード端子に補助端子を付設すればよく、その既存のトランス
をそのまま利用することができるので、ダミー端子付きのトランスを製作する場合に比べ
て、コストダウンを図ることができる。
【００１７】
請求項２に記載の発明によれば、補助端子をトランスに取り付けるにあたって、補助端
子本体の基端部から直角に折れ曲がる補助腕のリード端子挿通孔にリード端子を挿通した
後、該リード端子に補助腕を半田付けするだけでよく、その取付作業を迅速容易に行なう
ことができる。
【図面の簡単な説明】
【００１８】
【図１】本発明の実施の一形態であるトランス取付装置の分解斜視図である。
【図２】同要部の分解斜視図である。
【図３】同横断面図である。
【図４】トランス取付装置を用いた電子機器の斜視図である。
【図５】従来例の分解斜視図である。
【図６】同横断面図である。
【発明を実施するための形態】
【００１９】
図１〜図３は本発明の実施の一形態であるトランス取付装置を用いたスロットイン型の
Ｂｌｕ−ｒａｙ  Ｄｉｓｃ式のレコーダまたはプレーヤを示すものであって、トランス４
の多数のリード端子４ａのうちの適当な１つまたは２つ以上（この実施の形態では上側２
つ）のリード端子４ａに補助端子８が付設され、各補助端子８に対向して起立状態のプリ
ント配線基板３に補助孔９が開設されている。上記以外の構成は図４〜図６に示す構成と
ほぼ同じであるから、同一部分に同一符号を付してその説明を省略する。
【００２０】
図２に示すように、前記補助端子８は、銅などの金属からなり、リード端子４ａと同じ
ように円柱状の補助端子本体８ａと、該補助端子本体８ａの基端部から直角に折れ曲がる
補助腕８ｂとを有し、該補助腕８ｂの先端にリード端子挿通孔１０が貫設されている。
【００２１】
トランス４の取付手順を説明すると、図２に仮想線で示すように、リード端子挿通孔１
０にリード端子４ａを挿通し、該リード端子４ａの根元部に補助腕８ｂを半田付け６する
ことにより、そのリード端子４ａに対して補助端子本体８ａが所定間隔をおいて平行に配
置されており、各リード端子４ａを端子孔５に挿通すると同時に、各補助端子８の補助端
子本体８ａを補助孔９に挿通し、該各リード端子４ａ及び各補助端子本体８ａをプリント
配線基板３のランドに半田付け６する。
【００２２】
上記構成によれば、補助端子８を付設することにより、リード端子４ａの１本あたりに
かかるトランス４の重量を小さく（例えば１０ｇ以下）しているので、例えば搬送時に落
下するなどの衝撃がかかった場合でも、各リード端子４ａにかかる負荷が軽減されて、半
田付け６が損傷されることによる断線事故の発生が解消され、信頼性を高く維持すること
ができる。
【００２３】
また、従来のように半田付け６の盛りつけを大きくする必要がないので、トランス４の
取付作業を能率的に行なうことができる。
【００２４】
更に、既存のトランス４のリード端子４ａに補助端子８を付設すればよく、その既存の
トランス４をそのまま利用することができるので、ダミー端子付きのトランス４を製作す
る場合に比べて、コストダウンを図ることができる。
【００２５】
しかも、補助端子８をトランス４に取り付けるにあたって、補助端子本体８ａの基端部
から直角に折れ曲がる補助腕８ｂのリード端子挿通孔１０にリード端子４ａを挿通した後
、該リード端子４ａに補助腕８ｂを半田付け６するだけでよく、その取付作業を迅速容易
に行なうことができる。
【００２６】
上記の実施の一形態では、補助端子８を２つ用いたが、これに限定されるわけではなく
、トランス４の重量に合わせて、１つまたは３つ以上の補助端子８を用いる。
【産業上の利用可能性】
【００２７】
上記の実施の形態では、スロットイン型のＢｌｕ−ｒａｙ  Ｄｉｓｃ式のレコーダまた
はプレーヤを例にあげて説明したが、これに限定されるわけではなく、例えば液晶テレビ
などの各種電子機器に用いられるトランス４にも適用される。
【符号の説明】
【００２８】
３        プリント配線基板
４        トランス
４ａ      リード端子
５        端子孔
６        半田付け
８        補助端子
８ａ      補助端子本体
８ｂ      補助腕
９        補助孔
１０      リード端子挿通孔
【図１】
2011228558.tif 000003
【図２】
2011228558.tif 000004
【図３】
2011228558.tif 000005
【図４】
2011228558.tif 000006
【図５】
2011228558.tif 000007
【図６】
2011228558.tif 000008